(57)【要約】【課題】  遊技機用台間機に一括投入機構を設けた場合に、メダル詰まりの場合や残留メダルの払い戻し時に、容易かつ確実に装置内のメダルを取り出せる台間機用遊技メダルの一括投入機構を提供すること。【解決手段】  メダル貯め部44の下方に排出用開口49を形成するとともに、この排出用開口49の下方に、上部に開口を有する受け部材90を着脱自在に設置し、前記排出用開口49を開閉自在な開閉部材82を有する排出機構80を設け、この排出機構80は、前記搬送手段53がメダル送り出し方向に作動する場合には、前記開閉部材82で前記排出用開口49を塞ぎ、前記搬送手段53がメダル送り出し方向と逆方向に作動する場合には、前記開閉部材82が前記排出用開口49を開くようにする。【選択図】    図１
2006000369.tif 000002
【特許請求の範囲】
【請求項１】
遊技メダルの投入口を有する遊技機に隣接して設置される遊技機用台間機に設けられ、
一括投入される複数枚の遊技メダルを受け入れ可能な投入開口と、
この投入開口の下方に設けられ、遊技メダルを貯留可能なメダル貯め部と、
隣接する遊技機のメダル投入口に遊技メダルを移送するための移送部材と、
遊技メダルを上面に乗せて移送可能な搬送手段及び搬送手段により移送される積み重なった遊技メダルを一枚ずつに分離可能な分離手段を有し、前記メダル貯め部に貯留されている遊技メダルを一枚ずつ前記移送部材に送り出す搬送装置とを少なくとも備える遊技メダルの一括投入機構において、
前記搬送手段をメダル送り出し方向に作動させるための作動スイッチと、
前記搬送手段をメダル送り出し方向と逆方向に作動させるための逆作動スイッチとを設け、
前記メダル貯め部の下方に排出用開口を形成するとともに、この排出用開口の下方に、上部に開口を有する受け部材を着脱自在に設置し、
前記排出用開口を開閉する開閉部材を有する排出機構を設け、
前記排出機構は、前記作動スイッチにより前記搬送手段がメダル送り出し方向に作動する場合には、前記開閉部材で前記排出用開口を塞ぎ、
前記逆作動スイッチにより前記搬送手段がメダル送り出し方向と逆方向に作動する場合には、前記開閉部材が前記排出用開口を開放するように形成されていることを特徴とする台間機用遊技メダルの一括投入機構。
【請求項２】
前記逆作動スイッチとして、前記搬送装置から前記移送部材に送り出される遊技メダルを検知するための検知装置を設け、
この検知装置が、前記搬送装置の作動中に一定時間遊技メダルを検知しない場合には、前記搬送手段をメダル送り出し方向と逆方向に作動させるように形成されていることを特徴とする請求項１記載の台間機用遊技メダルの一括投入機構。
【発明の詳細な説明】
【技術分野】
【０００１】
この発明は、スロットマシンなどのメダル遊技機に隣接して設置される遊技機用台間機に用いられる、遊技メダルを一括投入するための一括投入機構に関するものである。
【背景技術】
【０００２】
従来より、スロットマシンなどのメダルを遊技媒体とする遊技機において、効率の良い遊技を行いたいという要請、あるいは、なるべく遊技メダルに手を触れないで遊技を行いたいという要請に基づき、遊技メダルを直接、遊技機に供給可能な遊技機用台間機（メダル貸し出し機）が考案されている（特許文献１参照）。また、遊技メダルを一括投入可能な投入開口を有し、一括投入開口から投入したメダルを一枚ずつ遊技機のメダル投入口に移送する一括投入機構を備えたメダル貸し出し機も考案されている（特願２００３−１３８４９３）。この一括投入機構は、メダル貸出機から貸し出されるメダルや一括投入口から投入されるメダルを、駆動装置により作動する搬送装置（メダル送り装置）により、遊技機に移送するように形成されている。
【特許文献１】特開２００３−２９９８６８号公報（図１）
【発明の開示】
【発明が解決しようとする課題】
【０００３】
上記したような、搬送装置を有する一括投入機構にあっては、搬送装置内部でメダル詰まりが発生した場合や、一括投入口からメダル以外の異物が投入されたような場合、異物や詰まったメダルを装置外に排出する必要がある。また、遊技終了時などに一括投入機構内に残留しているメダルを払い戻す必要もある。
そこで、本願発明は、かかる課題に鑑みてなされたものであり、その目的とするところは、遊技機用台間機に一括投入機構を設けた場合に、メダル詰まりの場合や残留メダルの払い戻し時に、容易かつ確実に装置内のメダルを取り出せる台間機用遊技メダルの一括投入機構を提供しようとするものである。
【課題を解決するための手段】
【０００４】
各請求項にそれぞれ記載された各発明は、上記した各目的を達成するためになされたものであり、各発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技メダルの投入口(10)を有する遊技機に隣接して設置される遊技機用台間機に設けられ、一括投入される複数枚の遊技メダルを受け入れ可能な投入開口（一括投入開口(31)）と、この投入開口(31)の下方に設けられ、遊技メダルを貯留可能なメダル貯め部(44)と、隣接する遊技機のメダル投入口(10)に遊技メダルを移送するための移送部材（メダル移送ブロック(60)）と、遊技メダルを上面に乗せて移送可能な搬送手段（搬送ベルト(53)）及び搬送手段(53)により移送される積み重なった遊技メダルを一枚ずつに分離可能な分離手段（逆転ローラ(52)）を有し、前記メダル貯め部(44)に貯留されている遊技メダルを一枚ずつ前記移送部材(60)に送り出す搬送装置(50)とを少なくとも備える遊技メダルの一括投入機構(3)である。
【０００５】
本発明は、遊技機用台間機、例えばスロットマシン(1)の隣に設置されるメダル貸出機(2)に備えられる遊技メダルの一括投入機構(3)であって、投入開口(31)から遊技メダルを一括投入して、隣接する遊技機のメダル投入口(10)に一枚ずつ移送するためのものである。一括投入機構(3)は、上方に投入開口(31)を有し、下方に移送部材(60)が設けられ、搬送装置(50)を内蔵した、遊技機用台間機の正面に固定される箱状の装置とすることができる。
ここで、遊技メダルの「一括投入」とは、メダルの向きを揃えて投入したり一枚ずつ投入するのではなくて、適宜手に掴んだ遊技メダルをランダムに投入開口に投げ入れるような場合のことを言うものである。なお、投入開口(31)に、装置内部に落下移動するメダルの向きが極力一定方向に揃うような手段（例えば仕切棒(B)）を設けると好ましい。
【０００６】
前記メダル貯め部(44)は、投入開口(31)から投入された遊技メダルを一時的に貯留可能な空間である。なお、遊技機用台間機がメダル貸出機(2)の場合には、メダル貸出機(2)から直接このメダル貯め部(44)に遊技メダルが払い出されるようにしてもよい。例えば、メダル貸出機(2)のメダル排出口を投入開口(31)の上方に設けたり、メダル排出口とメダル貯め部(44)との間に移送通路（払い出し通路(42)）を設けてもよい。
前記搬送装置(50)は、例えば駆動モータ(55)により回転する一対のローラ(51)に搬送手段としての搬送ベルト(53)を掛け渡し、分離手段としての逆転ローラ(52)により、ベルト上に積み重なっている遊技メダルを送り出し方向と逆方向に蹴り出して、ベルト上面に乗っている遊技メダルを一枚ずつ送り出し可能に形成したベルト駆動式メダル送り出し機することができる。搬送手段(53)は、遊技メダルを積載して移送可能なものであれば、ベルトに限られない。
【０００７】
また、前記移送部材(60)は、メダル受け口(63)とメダル排出口(64)との間に遊技メダルが通過可能なメダル移送路(65)を形成したブロック部材とすることができる。そして、搬送装置(50)の搬送手段(53)により送り出された遊技メダルを、受入開口(63)が受け入れるように形成されている。また、メダル排出口(64)は、隣接する遊技機のメダル投入口(10)の側方に位置するように配置される。
さらに、本発明では、前記搬送手段(53)をメダル送り出し方向に作動させるための作動スイッチ(70)と、前記搬送手段(53)をメダル送り出し方向と逆方向に作動させるための逆作動スイッチ(71)とを設けてあり、前記メダル貯め部(44)の下方に排出用開口（リセット開口(49)）を形成するとともに、この排出用開口(49)の下方に、上部に開口を有する受け部材（排出貯留箱(90)）を着脱自在に設置してある。そして、前記排出用開口(49)を開閉する開閉部材（開閉板(82)）を有する排出機構(80)を設け、この排出機構(80)は、前記作動スイッチ(70)により前記搬送手段(53)がメダル送り出し方向に作動する場合には、前記開閉部材(82)で前記排出用開口(49)を塞ぎ、前記逆作動スイッチ(71)により前記搬送手段(53)がメダル送り出し方向と逆方向に作動する場合には、前記開閉部材(82)が前記排出用開口(49)を開放するように形成されていることを特徴とする。
【０００８】
ここで、作動スイッチ(70)は、搬送手段(53)をメダル送り出し方向に作動させるためのものであって、遊技者の操作によりＯＮ状態となり搬送手段(53)が作動するスイッチ（例えばタッチセンサ(72)）と、メダルの通過など所定の検知信号によりＯＮ状態となり搬送手段(53)が作動するセンサ（投入センサ(73)）の双方を含む。同様に、逆作動スイッチ(71)も、その操作により搬送手段(53)を逆作動させるリセットスイッチ(74)や、搬送手段(53)の作動状況又はメダルの検知・非検知により搬送手段(53)を逆作動させるセンサ（回転検知センサ(57)、メダル検知センサ(46)）の双方を含む。また、「メダル送り出し方向」とは、搬送手段(53)により遊技メダルが移送部材(60)に送り出される方向である。
【０００９】
なお、一括投入機構(3)としては、搬送手段(53)の作動を停止させるための作動停止スイッチを有していてもよい。この場合、前記作動スイッチ(70)や逆作動スイッチ(71)が、作動停止スイッチを兼用していてもよい。例えば、ＯＮ／ＯＦＦ切り替えスイッチや、所定時間あるいは所定枚数のメダルを移送し終えるまで搬送手段(53)を作動させた後に停止させるセンサやスイッチを設けてもよい。
前記受け部材(90)は、内部にメダルなどを貯留可能に形成された箱や皿などの容器であって、例えばメダル貯め部(44)の下方に棚状の収納部などを設けて設置される。そして、例えば収納部から引き出したり係合部を外したりすることにより、一括投入機構(3)から取り外すことができるようになっている。
【００１０】
前記排出機構(80)は、排出用開口(49)の近傍に設けられた開閉装置であって、例えばソレノイド(81)等を用いて開閉部材である開閉板(82)をスライド又は回動させることにより、排出用開口(49)を開いたり閉じたりできるものである。具体的には、排出機構(80)は、搬送手段(53)が作動停止している場合と、作動スイッチ(70)により搬送手段(53)がメダル送り出し方向に作動している場合、すなわちタッチセンサ(72)を操作した場合や投入センサ(73)が払い出しメダルを検知した場合には、開閉部材(82)で排出用開口(49)を塞いでいる。そして、逆作動スイッチ(71)により搬送手段(53)がメダル送り出し方向と逆方向に作動する場合、すなわちリセットスイッチ(74)を操作した場合や、搬送手段(53)の作動中にセンサが搬送手段(53)の異常（例えば移動速度の変化）を検知したり所定時間メダルを検知しなかった場合などに、開閉部材(82)を移動（例えばスライド、回動）させて排出用開口(49)を開くようになっている。
【００１１】
（作用）
投入開口(31)に投入された遊技メダルは、メダル貯め部(44)に貯留される。そして、作動スイッチ(70)の操作又は検知に基づいて、搬送手段(53)がメダル送り出し方向に作動開始する。このとき、排出機構(80)の開閉部材(82)は、排出用開口(49)を閉じている。
搬送手段(53)の作動中に、逆作動スイッチ(71)により所定の検知結果が検知された場合には、搬送手段(53)がメダル送り出し方向と逆方向に作動する。このとき、搬送装置(50)内部（例えば搬送手段(53)と分離手段(52)との間の送出間隙(54)）に遊技メダルが重なって詰まっていた場合には、搬送手段(53)がメダル送り出し方向と逆方向に移動して、詰まりが解消される。この場合は、搬送手段(53)を所定時間、逆方向に作動したのちに停止させるようにするのが好ましい。また、搬送手段(53)の停止中に、逆作動スイッチ(71)が操作された場合にも、搬送手段(53)がメダル送り出し方向と逆方向に作動する。この場合は、スイッチを操作している間は搬送手段(53)が逆方向に作動するようにすると好ましい。
【００１２】
一方、搬送手段(53)が逆作動すると同時に、排出機構(80)の開閉部材(82)が排出用開口(49)を開く。このため、メダル貯め部(44)に貯留されている遊技メダルはそのまま排出用開口(49)から落下し、搬送手段(53)の上に乗っている遊技メダルもメダル貯め部(44)に逆戻りし、排出用開口(49)から落下する。そして、落下したメダルは下方に設置されている受け部材(90)が受け止める。なお、搬送手段(53)の逆作動と、開閉部材(82)による排出用開口(49)の開放により、メダル貯め部(44)や搬送手段(53)に投入されたゴミなどの異物を排出させることもできる。その後、受け部材(90)を一括投入機構(3)から取り外して、受け部材(90)内に貯まったメダルや異物を取り出せばよい。
【００１３】
（請求項２）
（特徴点）
請求項２記載の発明は、上記した請求項１記載の発明の特徴点に加え、次の点を特徴とする。
すなわち、請求項２記載の発明は、前記逆作動スイッチ(71)として、前記搬送装置(50)から前記移送部材(60)に送り出される遊技メダルを検知するための検知装置（メダル検知センサ(46)）を設け、この検知装置(46)が、前記搬送手段(53)の作動中に一定時間遊技メダルを検知しない場合には、前記搬送手段(53)をメダル送り出し方向と逆方向に作動させるように形成されていることを特徴とする。
【００１４】
ここで、検知装置(46)は、逆作動スイッチ(71)以外のスイッチとして機能することができてもよい。例えば、所定時間搬送手段(53)を逆作動させた後に停止させるための逆作動停止スイッチや、搬送手段(53)の作動中に一定時間遊技メダルを検知し続けている場合には、搬送手段(53)の送り出し方向への作動を停止させる作動停止スイッチとして機能するように形成してもよい。
検知装置(46)は、搬送装置(50)のメダル送り出し出口、すなわち搬送手段(53)の終点と、移送部材(60)のメダル受け口(63)との間に設けると好適である。
（作用）
「搬送手段(53)の作動中に一定時間遊技メダルを検知しない場合」とは、搬送装置(50)の内部でメダルが詰まっているために移送部材(60)に送り出されてこない場合と、搬送装置(50)により全てのメダルが送り出されてしまった場合の二つの場合が想定される。搬送装置(50)の内部でメダルや異物が詰まっている場合には、搬送手段(53)が逆作動すると共に開閉部材(82)が排出用開口(49)を開くので、詰まりが解消されると共に異物を排除できる。なお、搬送手段(53)を所定時間逆作動させた後、作動停止させるようにすれば、メダル送り終了後、所定時間経過後に搬送手段(53)が自動的に作動停止することとなるので、装置の無駄な作動を回避できる。
【発明の効果】
【００１５】
本発明は、以上のように構成されているので、遊技機用台間機に一括投入機構を設けた場合に、メダル詰まりの場合や残留メダルの払い戻し時に、容易かつ確実に装置内のメダルを取り出せる台間機用遊技メダルの一括投入機構を提供することができる。
【発明を実施するための最良の形態】
【００１６】
本発明の最良の実施形態を、遊技機としてスロットマシンを、遊技機用台間機としてメダル貸出機を例に、図面に基づき説明する。
（図面の説明）
図１乃至図１０は、本発明の実施の形態を示すものである。
図１は一括投入機構３の縦断面図、図２はスロットマシン１及びメダル貸出機２の外観斜視図、図３はメダル貸出機２の側面図、図４は一括投入機構３及びメダル投入口10の拡大斜視図、図５は一括投入機構３の分解斜視図、図６はメダル送り装置40の斜視図、図７は一括投入機構３の部分拡大断面図、図８及び図９はメダル送り装置40の作動説明図、図１０は搬送装置50及び排出装置80の作動の概略を示すフローである。
【００１７】
本実施の形態におけるメダル貸出機２は、スロットマシン１に隣接して設置され、一台のスロットマシンに一機ずつ対応するように設けられている。
（スロットマシン１）
スロットマシン１は、図２に示すように、筐体及び筐体の正面側に取り付けられた前扉13から形成され、正面側には回転リール（図示せず）の図柄を視認可能な図柄表示窓14が形成されている。また、この図柄表示窓14の下方でありスロットマシン１の略中央部は、スタートスイッチやストップスイッチなどの操作手段が設けられる操作部16となっている。そしてこの操作部16の正面右端部には、遊技メダルを投入するためのメダル投入口10が設けられている。なお、特に図示しないが、メダル投入口10の下方には、遊技メダルの真贋を判断すると共に投入メダルをカウントするためのメダルセレクターが設けられている。また、スロットマシン１の下部には、払い出しメダルを貯留可能な払い出しメダル皿15が設けられている。
【００１８】
ここで、メダル投入口10は、図４に示すように、上方から遊技メダルを一枚ずつ投入可能な上方投入開口11と、上方投入開口11の側方に連通する側方移送通路12とを有している。この側方移送通路12は、上方投入開口11から正面右側（メダル貸出機２側）に延設された樋状の通路であって、後述するメダル移送ブロック60から送られてくる遊技メダルを受け入れ上方投入開口11に移送するためのものである。
そして、メダル投入口10から遊技メダルを投入し、スタートスイッチの操作により回転リールを回転させ、ストップスイッチの操作により回転リールを停止させ、このとき、複数の回転リールに表示された図柄が所定の位置態様に停止すると入賞となり、所定枚数のメダルが払い出されるように形成されているものである。
【００１９】
（メダル貸出機２）
メダル貸出機２は、スロットマシン１の側面側に隣接して設置される箱型の装置であって、金銭と引き替えに遊技メダルを貸し出すと共に、貸し出しメダル及び遊技者が投入するメダルをスロットマシン１のメダル投入口10に投入するためのものである。すなわち、メダル貸出機２は、図３に示すように、外箱20に、紙幣カウンター22及び貸し出しメダル払い出し装置23が内蔵されているとともに、正面側には一括投入機構３が取り付けられているものである。
紙幣カウンター22は、外箱20の正面下方に設けられた紙幣投入口21から投入された紙幣を読み取って、貸し出しメダル払い出し装置23に所定枚数の遊技メダルを払い出させるためのものである。なお、メダル貸出機としては、紙幣投入口21及び紙幣カウンター22の他に、硬貨投入口や硬貨カウンター、釣り銭払い出し口などを有していてもよい。また、プリペイドカード投入口とカードリーダーを有していてもよい。
【００２０】
貸し出しメダル払い出し装置23は、遊技メダルを払い出すためのいわゆるホッパー装置であり、特に図示しないが、遊技メダルを貯留しておくためのタンクと、タンクに貯留されている遊技メダルを一枚ずつ排出可能な送り出し円板を有している。送り出し円板は、駆動モータに回転可能に軸止されており遊技メダルが嵌入可能な孔が形成されている。そして、この孔に入った遊技メダルを、回転に伴い一枚ずつ装置の外に排出するようになっている。また、貸し出しメダル払い出し装置23には排出メダルをカウントするためのセンサが設けられていて、所定枚数の遊技メダルを払い出したら駆動モータが停止するように形成されている。
【００２１】
（一括投入機構３）
一括投入機構３は、前記貸し出しメダル払い出し装置23から払い出される遊技メダル、及び遊技者が投入する遊技メダルを、スロットマシン１のメダル投入口10に一括投入するための機構である。
具体的には、一括投入機構３は、図１及び図４に示すように、大きく分けて、メダル貸出機２の外箱20の正面に取り付けられた本体カバー30と、本体カバー30の内部に設けられたメダル送り装置40と、本体カバー30の正面側に着脱自在に取り付けられたメダル移送ブロック60とから構成されている。
【００２２】
（本体カバー30）
本体カバー30は、図２、図３に示すように、メダル貸出機２の外箱20の正面略中央部から手前側（スロットマシン１を正面から見た場合の手前側。以下同じ）に突出する箱形部材であり、上方に開口する一括投入開口31が形成され、図１に示すように、内部にはメダル送り装置40が内蔵されている。
一括投入開口31の前方には、図１及び図４に示すように、上面に平坦部を有するカウンター状の張り出し部31Aが形成されている。張り出し部31Aは、一括投入開口31の手前側及び側方に向かって張り出し、平面からみると略Ｕ字型に形成されている。ここには、後述するが、搬送装置50を作動及び作動停止させるためのタッチセンサ72が敷設されており、張り出し部31Aを含む一括投入開口31の周囲に触れることにより、搬送装置50の駆動モータ55が駆動開始したり駆動を停止したりするようになっている。
【００２３】
そして、本体カバー30の正面側下端部には、図５に示すように、メダル移送ブロック60が設置される切り欠き部32が形成されており、この切り欠き部32の上方には、メダル送り装置40のメダル排出部47及びメダル移送ブロック60のメダル受け口63に連通するメダル落下部33が形成されている。また、前記切り欠き部32の正面側には、メダル移送ブロック60を前後方向に移動可能に取り付けるための取り付け板34が設けられている。
さらに、本体カバー30の底部奥側には、図５に示すように、メダル送り装置40から排出される異物やリセットメダルを受け止める排出貯留箱90を収納するための貯留箱収納部37が設けられており、貯留箱収納部37の上方には、排出開口36が形成されている。貯留箱収納部37は、上方及び正面に開口する箱形のケースであり、正面側開口から排出貯留箱90を嵌め込むことができるとともに、上方の排出開口36から異物やリセットメダルを排出貯留箱90に落下させるとができるようになっている。
【００２４】
（メダル送り装置40）
メダル送り装置40は、前記本体カバー30に内蔵されたメダルを送り出すための装置であり、図１に示すように、本体ブロック41の内部に搬送装置50を設け、搬送装置50の奥側下方に排出装置80を設けた構成となっている。
本体ブロック41は、図１及び図６（Ａ）に示すように、長さ方向略中央部に、上方に開口する受入開口48を有し、受入開口48の奥側には、上方に向かって延びる角形管状の払い出し通路42が設けられている。また、本体ブロック41の前方下部には、搬送装置50が内蔵されており、本体ブロック41の正面底部には、搬送装置50により送り出されたメダルを排出するためのメダル排出部47が形成されているとともに、搬送装置50により送り出されるメダルを検知するためのメダル検知センサ46が設けられている。そして、図６（Ｂ）に示すように、前記払い出し通路42の下面には、排出装置80のソレノイド81が設けられており、図６（Ｃ）及び図９に示すように、ソレノイド81の作動で開閉板82を開くことにより、メダル送り装置40内部にあるメダルや異物などを、本体ブロック41の底面に形成されたリセット開口49から排出させることができるようになっている。
【００２５】
前記受入開口48は、一括投入開口31から投入される遊技メダルを受け入れるための開口であり、開口幅のほぼ中央部に、横方向に亘って設けられた仕切棒Ｂを有している。これは、投入される遊技メダルを、極力同一方向に揃えるためである。すなわち、この仕切棒Ｂがあることにより、受入開口48に遊技メダルが縦向き（メダルの表裏面が左右方向となる向き）で投入されることがないので、ランダムに投入される遊技メダルの向きを、横向き（メダルの表裏面が前後方向となる向き）にして落下させるようになるものである。このように落下した場合には、メダルの向きが揃っているので、受入開口48の下方に位置する空間であるメダル貯め部44に、遊技メダルが平積みとなるよう貯留させることができ、搬送装置50により搬送しやすくなる。
【００２６】
また、受入開口48の手前側端部48Aには、搬送装置50の上方空間を、受入開口48の下方に位置するメダル貯め部44と、メダル貯め部44よりも手前側に位置するメダル戻り部45とに分ける移動調整弁43が取り付けられている。移動調整弁43は、後方すなわちメダル貯め部44側へは回動するが、前方すなわちメダル戻り部45側へは回動しないようになっている。そして、メダル貯め部44からメダル戻り部45へのメダル移動を阻止し、メダル戻り部45からメダル貯め部44へのメダル移動は適宜許容することにより、搬送装置50によるメダル移送をスムーズに行わせるためのものである。
前記払い出し通路42は、メダル貸出機２の貸し出しメダル払い出し装置23から貸し出される遊技メダルを受け入れて、前記メダル貯め部44に誘導するためのものである。払い出し通路42の底面は、奥側から手前側に向かって下り傾斜となっており、傾斜の前端部が開閉板82によって開閉可能に形成されている。開閉板82が閉じているときには、メダル貯め部44に遊技メダルが貯留され、開閉板82が開いた場合には、メダル貯め部44又は搬送装置50の搬送ベルト53上にあるゴミなどの異物や遊技メダルは、リセット開口49から落下する。
【００２７】
前記メダル排出部47は、搬送装置50より送り出されたメダルをメダル移送ブロック60に一枚ずつ排出するためのものであり、図７に示すように、下方に開口する排出スリット47Bと、搬送装置50の前端部近傍からに排出スリット47Bに向かって下降する湾曲傾斜面を形成する誘導板47Aを有している。
前記メダル検知センサ46は、遮光センサや反射センサであって、メダルの移動をセンシングしてメダル詰まりを検知するためのものである。すなわち、メダル検知センサ46は、検知が正常時のメダル検知パターンと異なる場合、例えばメダル検知センサ46が所定時間メダルを検知し続けている場合や、逆に所定時間メダルを検知しない場合には、搬送装置50の作動を停止させるための信号を出力する。すなわち、メダル検知センサ46は、搬送装置50の搬送ベルト53の作動を停止させるための作動停止スイッチとして機能するものである。
【００２８】
（搬送装置50）
搬送装置50は、本体ブロック41の前方下部に内蔵されており、受入開口48が受け入れた遊技メダルを、水平状態（遊技メダルの表裏面が上下となる状態）で一枚ずつ、メダル移送ブロック60へと送り出すためのものである。具体的には、搬送装置50は、図１に示すように、一対のローラ51（51A,51B）と、ローラ51A,51Bに掛け渡された搬送ベルト53と、搬送ベルト53の手前側上方に送出間隙54をあけて設置された逆転ローラ52と、ローラ51,52を回転させるための駆動モータ55と、駆動モータ55のモータ軸の回転をローラ51,52に伝達するための伝達手段56を有している。
【００２９】
前記ローラ51は、正面側から見て前後に並列して設けられている。また、前記搬送ベルト53は、二つのローラ51A,51Bに掛け渡された平ベルトであり、表面にはゴム等を被覆して、遊技メダルとの摩擦抵抗を大きくするよう形成してある。そして、手前側のローラ51Aの方が、奥側のローラ51Bよりも若干高い位置に取り付けられているので、搬送ベルト53の上面は手前側に向かってやや上り傾斜となっており、ローラ51を図１に示す黒矢印の方向に回転させることにより、搬送ベルト53の上面が手前側に移動するようになっている。
前記ローラ51と逆転ローラ52は、伝達手段56により同時に回転するようになっている。伝達手段56は、駆動モータ55の駆動軸とローラ51Aと逆転ローラ52に設けられたギヤ、及び各ギヤを連結するベルトであって、逆転ローラ52はローラ41と同方向に回転するので、搬送ベルト53の上面の進行方向と、逆転ローラ52の下面の移動方向とが逆になる。また、前記伝達手段56の調整（直径の異なるギヤの組み合わせ）により、逆転ローラ52の回転速度の方が、ローラ51の回転速度よりも早くなるように形成されている。
【００３０】
そして、逆転ローラ52の下面と搬送ベルト53の上面との間には、遊技メダル一枚の厚みよりも大きく、遊技メダル二枚分の厚みよりは小さい送出間隙54が形成されている。これにより、搬送ベルト53の上面に乗っている遊技メダルを、一枚ずつ手前側に送り出すとともに、搬送ベルト53の上方であって逆転ローラ42の後方にある遊技メダルをメダル戻り部45に蹴り出すようになっている。
さらに、搬送装置50には、搬送ベルト53の移動速度を監視して、送出間隙54でのメタル詰まりを検知するための回転検知センサ57が設けられている。回転検知センサ57は、図１に示すように、搬送ベルト53を挟んで取り付けられた検知装置であり、特に図示しないが、搬送ベルト53の端部に形成された孔や反射部材を検知することで搬送ベルト53の移動速度を確認し、この移動速度が極端に遅くなったり、駆動モータ55が駆動しているにもかかわらず搬送ベルト53が移動停止した場合には、駆動モータ55を一定時間逆回転させた上、停止させるようになっている。すなわち、回転検知センサ57は、搬送ベルト53を逆作動させるための逆作動スイッチ71として機能するものであるが、これについては後述する。なお、回転検知センサ57の設置位置は、図示した場所に限られず、駆動モータ55に設けて駆動軸の回転数を検知したり、ローラ51や伝達手段56の回転を検知できる位置に設けてもよい。
【００３１】
搬送ベルト53の前方側はメダル排出部47と近接しており、ベルト上面に乗っている遊技メダルは、搬送ベルト53の表面に乗ったままメダル排出部47へと運ばれる。
（メダル移送ブロック60）
メダル移送ブロック60は、前記搬送装置50から送り出された遊技メダルをスロットマシン１のメダル投入口10に移送するためのものであって、図１及び図７に示すように、遊技メダルが一枚ずつ通過可能なメダル移送路65を有するブロック部材である。すなわち、メダル移送ブロック60は、上方に開口するメダル受け口63を有するメダル受け部61と、メダル受け部61から側方に向かって設けられ側端部にメダル排出口64を有するメダル移送部62とから成り、メダル受け口63から前記搬送装置50により搬送された遊技メダルを受け入れ、メダル排出口64から遊技メダルを排出するものである。
【００３２】
そして、メダル移送ブロック60は、図５に示すように、一括投入機構３の本体カバー31の正面下部の切り欠き部32に取り付けられ、図７に示すように、メダル受け部61がメダル落下口33の下方となりメダル受け口63がメダル排出部47の排出スリット47Bと連通するようになっている。また、メダル受け口63の上端部はラッパ状の断面を有していて、排出スリット47Bから落下する遊技メダルを確実に受け入れることができる。さらにメダル移送ブロック60は、図４に示すように、メダル排出口64がスロットマシン１のメダル投入口10の側方移送通路12の端部と一直線上に配置されるよう設置される。この場合、メダル排出口64と側方移送通路12の端部とは必ずしも当接、合致する必要はなく、メダル排出口64から排出されたメダルが側方移送通路12に移動可能な間隙や高さの誤差があって構わない。
【００３３】
（メダル移送ブロック60の着脱）
ここで、メダル移送ブロック60は、本体カバー30に、着脱自在、かつ前後方向にスライド可能に取り付けられている。具体的には、図５に示すように、メダル移送ブロック60は、本体カバー30の切り欠き部32の正面に取り付けられた取り付け板34に取り付けられる。すなわち、メダル移送ブロック60は、図７に示すように、取り付け板34の正面に設けられた係合孔34aに、メダル移送ブロック60の背面に設けられ前記係合孔34aに係合可能に形成された突起部60Aを係合させることにより、取り付け板34に固定可能であり、その突起部60Aと係合孔34aとの係合を外すことにより、取り付け板34から取り外すことができる。
【００３４】
一方、取り付け板34は、図７に示すように、その下端部に、奥方向に延設された舌片34bを有しており、切り欠き部32の正面に前後方向にスライド自在になっている。そして、前記舌片34bと本体カバー31の底板とを、移動調節ネジ35でネジ止めすることにより、本体カバー31に固定することができるものである。
このようにして、メダル移送ブロック60は、例えば移送路内部やメダル送り装置40のメダル排出部47付近にメダルが詰まった場合に取り外すことができるとともに、取り付け板34の固定位置を調節することによって、前後方向の位置調整を行うことができる（図７(Ｂ)参照）。そして、隣接するスロットマシン１の側方移送通路12との前後方向の位置あわせの微調整を行うことができるのである。
【００３５】
なお、メダル排出口64と側方移送通路12との上下方向及び左右方向の微細な位置あわせについては、メダル排出口64の下端部が側方移送通路12の底面（メダルが転がる面）よりも高い位置にさえあれば、メダル排出口64の側端面と側方移送通路12の側端面とが完全に合致しなくても、メダルが隙間を飛び越していくのでそれほど問題はない。
さらに、メダル移送ブロック60を着脱自在とすることにより、縦方向の長さの異なるメダル移送ブロック60を付け替えることができ、メダル投入口10の高さが大幅に異なる機種にも対応できる。
（排出装置80）
次に、排出装置80について詳述する。
【００３６】
排出装置80は、図１に示すように、払い出し通路42の下面に固定されるソレノイド81と、払い出し通路42の前端部に固定側軸支部83を中心に前後方向に回動可能に取り付けられた開閉板82と、一端をソレノイド81、他端は開閉板82の裏面に設けられた作動側軸支部85に取り付けられたアーム84を有している。このアーム84は、ソレノイド81の可動片（図示せず）に取り付けられており、可動片の移動により、作動側軸支部85側が前後方向に揺動するようになっている。そして、開閉板82は、アーム84の揺動に伴い、固定側軸支部83を中心に回動することにより、メダル送り装置40の後方下部に設けられたリセット開口49を開閉自在になっている。
【００３７】
具体的には、アーム84は、ソレノイド81がＯＮ状態のときには、図１及び図６（Ｂ）に示すように、開閉板82の上面と払い出し通路42の内面底部とが面一となる位置に開閉板82を支持している。そして、ソレノイド81がＯＦＦ状態になると、図９及び図６（Ｃ）に示すように、アーム84は後方斜め下方に回動し、開閉板82は作動側軸支部85に引っ張られて固定側軸支部83を中心に回動し、ほぼ鉛直状態となる位置まで移動するようになっている。
（作動スイッチ70及び逆作動スイッチ71）
ここで、前記搬送装置50及び排出装置80は、作動スイッチ70、逆作動スイッチ71及びメダル検知センサ46からの信号に基づいて、作動及び作動停止するものである。本実施の形態においては、作動スイッチ70として、駆動モータ55を正転駆動させるためのタッチセンサ72及び投入センサ73と、駆動モータ55を逆転駆動させるためのリセットスイッチ74及び回転検知センサ57が設けてある。そして、特に図示しないが、前記作動スイッチ70等からの出力信号に基づいて、駆動モータ55の駆動及びソレノイド81の作動を制御するための制御基板が、一括投入機構３の適当な場所に設けられている。
【００３８】
タッチセンサ72は、図４に示すように、一括投入開口31の周囲に伝導体を敷設したＯＮ／ＯＦＦ切り替えスイッチであって、人が手を触れると通電してスイッチがＯＮとなって駆動モータ55が駆動を開始し、手を触れている状態から手を離すとスイッチがＯＦＦとなって駆動モータ55が駆動を停止するようになっている。さらに、投入センサ73により駆動モータ55が駆動開始した場合にはスイッチがＯＮとなり、駆動モータ55の駆動中に手を触れると、スイッチがＯＦＦとなって駆動モータ55が駆動を停止するようになっている。これにより、遊技者は適宜搬送装置50を作動させて、自分の好みの量のメダルをスロットマシン１に投入することができる。
【００３９】
投入センサ73は、図１に示すように、メダル送り装置40の払い出し通路42の上端部に設けたセンサであって、貸し出しメダル払い出し装置23から排出されるメダルを検知して、駆動モータ55を駆動させるためのものである。すなわち、投入センサ73は、メダル検知によりスイッチがＯＮとなって駆動モータ55が駆動を開始する。そして、駆動モータ55の駆動中に前記タッチセンサに触れた場合には、スイッチＯＦＦとなって、駆動モータ55が駆動を停止するように形成されている。ここで、投入センサ73は、払い出し通路42以外の場所に設けてあってもかまわない。例えば、貸し出しメダル払い出し装置23のメダル排出部に設けてもよい。また、投入センサ73にメダルを検知させるのではなく、貸し出しメダル払い出し装置23の作動信号の受信によりスイッチがＯＮとなるよう形成してもよい。
【００４０】
リセットスイッチ74は、図４に示すように、本体カバー30の側面に設けたボタンスイッチであり、ボタン押圧によりスイッチがＯＮとなって駆動モータ55が逆転駆動し、ボタンから手を離すとスイッチがＯＦＦとなって駆動を停止するようになっている。また、リセットスイッチ72を操作すると、同時に排出装置80のソレノイド81が作動して開閉板82を開くので（図９参照）、メダル送り装置40内部に残留している遊技メダルを取り出したり、一括投入開口31内に入ったゴミなどの異物を取り除くことができる。
また、搬送装置50が作動中に、回転検知センサ57が搬送ベルト53の回転異常を検知した場合には、駆動モータ55が所定時間逆転駆動した後、駆動停止する。一方、搬送装置50が作動中に、メダル検知センサ46がメダル検知パターンの異常を検出した場合には、駆動モータ55が駆動停止する。タッチセンサ72及び投入センサ73は、駆動モータ55の駆動停止によりスイッチＯＦＦ状態に戻るので、駆動停止後、再びタッチセンサ72に触れれば、駆動モータ55が駆動を開始し、メダル貸出機２からメダルが払い出されれば駆動モータ55が駆動を開始する。
【００４１】
（搬送装置50及び排出装置80の作動）
次に、搬送装置50及び排出装置80の作動の概略を、図１０のフローに基づき説明する。
まず、初期状態では、すべての作動スイッチはＯＦＦであり、排出装置80のソレノイド81はＯＮで開閉板82が閉じている状態である。そして、図１０のステップ１００において、リセットスイッチ74がＯＮとなったかどうかを判断する。リセットスイッチがＯＮでない場合には、次のステップ１０１に進む。
ステップ１０１において、タッチセンサ72がＯＮとなっているかどうかを判断する。タッチセンサ72がＯＮでない場合には、次のステップ１０２に進む。
【００４２】
ステップ１０２において、投入センサ73がＯＮとなっているかどうかを判断する。投入センサ73がＯＮでない場合には、ステップ１００に戻る。一方、投入センサ73がＯＮとなった場合には、次のステップ１０３に進む。
前記ステップ１０１において、タッチセンサ72がＯＮとなった場合には、ステップ１０２を飛び越してステップ１０３に進む。
ステップ１０３において、駆動モータ55を正回転させる。これにより、搬送ベルト53が前方に回転し、メダルの移送を開始する。そして、次のステップ１０４に進む。
ステップ１０４において、回転検知センサ57が搬送ベルト53の回転異常を検出しているかどうかを判断する。すなわち、搬送装置50内でメダル詰まりが発生していないかどうかを判断する。搬送ベルト53の回転異常がない場合には、次のステップ１０５に進む。
【００４３】
ステップ１０５において、メダル検知センサ46がメダル検知の異常を検出しているかどうかを判断する。具体的には、メダル検知センサ46が一定時間以上メダルを検知し続けていないか、又は一定時間以上メダル非検知状態が続いていないかどうかを判断する。前者はメダル送り装置40のメダル排出部47やメダル移送ブロック60内でのメダル詰まりを検出するものであり、後者はメダル送り装置40内に移送すべきメダルが無いこと（全てのメダルを送り出し終えたこと）を検出することができるものである。メダル検知の異常がない場合には、次のステップ１０６に進む。
ステップ１０６において、タッチセンサ72のスイッチがＯＦＦとなったかどうかを判断する。タッチセンサ72のスイッチがＯＦＦになっていない場合には、ステップ１０３に戻る。すなわち、メダル詰まりが発生することなく搬送装置50がメダルを移送し続けている状態で、タッチセンサ72への接触で駆動モータ55が駆動している場合にはタッチセンサ72から手を離さない限り、メダル貸出機２からのメダル払い出しにより駆動モータ55が駆動している場合にはタッチセンサ72に触れない限り、駆動モータ55は駆動し続ける。一方、タッチセンサ72のスイッチがＯＦＦになった場合には、次のステップ１０６に進む。
【００４４】
ステップ１０６において、正回転している駆動モータ55の駆動を停止させる。そして、搬送装置50の作動制御を終了する。
前記ステップ１０５において、メダル検知センサ46がメダル検知の異常を検出している場合には、ステップ１０６を飛び越してステップ１０７に進む。すなわち、メダル検知センサ46が一定時間以上メダルを検知し続けている場合、又は一定時間以上メダル非検知状態が続いている場合には、駆動モータ55の駆動を停止させる。この場合において、メダル検知センサ46が一定時間以上メダルを検知し続けているときには、メダル排出部47やメダル移送ブロック60内でメダルが詰まっているので、警告ランプの点灯など所定のエラー表示を行うようにすると好適である。このようにすれば、搬送装置50がメダル詰まりによって作動停止したのか、送り出すメダルが無くなったので作動停止したのか一見して認知することができ、メダル詰まりの場合であれば、メダル移送ブロック60を取り外して詰まりを解除するなどの対処ができるからである。
【００４５】
ここで、前記ステップ１００において、リセットスイッチ72がＯＮとなった場合には、ステップ１０８に進む。
ステップ１０８において、駆動モータ55を逆回転させると同時に、ソレノイド81をＯＦＦ状態にする。駆動モータ55の逆回転により、搬送ベルト53はメダル送り方向と逆方向に回転する。また、ソレノイド81の作動により、開閉板82が開き、リセット開口49が開口する。そして次のステップ１０９に進む。
ステップ１０９において、リセットスイッチ74がＯＦＦとなったかどうかを判断する。具体的には、リセットスイッチ74の押圧停止によりスイッチＯＦＦ状態に切り替わったかを判断する。スイッチがＯＦＦになっていない場合には、ステップ１０８に戻る。すなわち、リセットスイッチ74が押圧されている間は、開閉板82は開いたままで、駆動モータ55が逆転駆動し続ける。これにより、メダル送り装置40内に残留しているメダルをリセット開口49から排出させることができる。一方、スイッチがＯＦＦになった場合には、ステップ１１１に進む。
【００４６】
ステップ１１１において、逆回転している駆動モータ55の駆動を停止させ、ソレノイド81をＯＮ状態にして開閉板82を閉じる。そして搬送装置50の作動制御を終了する。
一方、前記ステップ１０４において、搬送ベルト53の回転異常が発生している場合には、ステップ１１０に進む。
ステップ１１０において、所定時間駆動モータ55を逆回転させると同時に、ソレノイド81をＯＦＦ状態にする。このようにすることにより、送出間隙54で詰まったメダルや異物を、搬送ベルト53がメダル送り出し方向と逆方向に回転し逆転ローラ52の下面がメダル送り出し方向に回転することにより、送出間隙54からメダル貯め部44方向に取り除くことができる。また、開閉板82が開いてメダル貯め部44のメダルはリセット開口49から下方に落下するので、搬送ベルト53の後方には空間ができ、送出間隙54から逆戻りするメダルや異物が排除されやすいとともに、リセット開口49から排出貯留箱90に排出される異物を取り出すことができる。そして、ステップ１１１に進む。
【００４７】
ステップ１１１において、逆回転している駆動モータ55の駆動を停止させる。そして、搬送装置50の作動を終了する。
ところで、本実施の形態では、搬送装置50内のメダル詰まりを検出するために回転検知センサ57を設けたが、かかるメダル詰まりは、搬送装置50からメダル移送ブロック60に移送されるメダルを検知するメダル検知センサ46が、所定時間メダルを検知しないことによっても検出可能である。そこで、回転検知センサ57を設けることなく、メダル検知センサ46が一定時間メダルを検知しない場合に、所定時間駆動モータ55を逆回転させると同時に、ソレノイド81をＯＦＦ状態にするようにしてもよい。すなわち、メダル検知センサ46に、逆作動スイッチ71としての機能を持たせるようにしたものである。このように形成すれば、センサを複数設けなくても、詰まりを検出できるとともに、異物を外部に排出することができる。
【００４８】
なお、メダル送り装置40内のメダルを全て送り終えたことにより、メダル検知センサ46が所定時間メダルを検知しない場合には、駆動モータ55の逆回転や開閉板82の開放は特に意味がないが、所定時間経過後に駆動モータ55が停止するので、タッチセンサ72の操作によらず自動的に搬送装置50を作動停止できるという利点はある。
これに対し、メダル検知センサ46が一定時間メダルを検知し続けている場合には、駆動モータ55を逆転駆動させずに停止させてソレノイド81はＯＮ状態のままにし、搬送装置50内のメダルをリセットしないように形成するのが望ましい。このようにしないと、メダル移送ブロック60を取り外せば解消できるメダル詰まりであるにもかかわらず、搬送装置50内のメダルが排出されてしまい、詰まり解消後に遊技を行う際、排出貯留箱90からメダルを取り出して再び投入しなければならず、甚だ面倒だからである。
【００４９】
（遊技メダルの移送）
次に、上記構成を有する一括投入機構３における遊技メダルの移送過程を、図８及び図９に基づき説明する。
まず、一括投入開口31から遊技メダルを投入すると、図８（Ａ）に示すように、遊技メダルは搬送ベルト53の後方部上面と開閉板82の上面に積み重なるように落下し、メダル貯め部44に貯留される。また、メダル貸出機２に紙幣を投入した場合には、貸し出しメダル払い出し装置23から遊技メダルが払い出され、払い出し通路42を通ってメダル貯め部44に貯留される。次に、一括投入開口31の周囲を手で押さえると、タッチセンサが反応して、搬送装置50が作動を開始する。すなわち、駆動モータ55が駆動して、搬送ベルト53が前方に回転開始する。
【００５０】
搬送ベルト53が移動開始すると、搬送ベルト53の後方部上面に乗っている遊技メダルが前方に移動し、その上方に貯まっているメダルも引きずられて、移動調整弁43の下方を潜ってメダル戻り部45に移動する。ここで、移動調整弁43は、前方には回動しないので、メダル貯め部44の上部に貯留されているメダルが、一気にメダル戻り部45に雪崩れ込むのを防ぐことができる。
搬送ベルト53により前方に移送された遊技メダルのうち、搬送ベルト53の上面に乗っている遊技メダルは、図８（Ｂ）に示すように、搬送ベルト53と逆転ローラ52の下面との間の送出間隙54をすり抜けて、一枚ずつ、メダル排出部47へと移送される。一方、搬送ベルト53の上方に重なっている遊技メダルは、逆転ローラ52と接触することにより、上方後部のメダル戻り部45に蹴り戻される。逆転ローラ52は、ローラ51よりも高速回転しているので、効率よくメダルを蹴り出すことができる。
【００５１】
ここで、メダル戻り部45に滞留するメダルの量が多いと、逆転ローラ52によって後方に蹴り出すのに支障をきたし、送出間隙54でメダル詰まりが発生するおそれがある。しかし、移動調整弁43は、後方に回動可能に取り付けられているので、図８（Ｃ）に示すように、メダル戻り部45内のメダルはメダル貯め部44に逆流し、メダル戻り部45の上方に空間が形成される。これにより、逆転ローラ52によるメダルの蹴り出しがスムーズに行われるものである。
搬送装置50から送り出された遊技メダルは、メダル排出部47の誘導板47Aに誘導されつつ排出スリット47Bから下方に落下する。そして、本体カバー30のメダル落下部33を経てメダル移送ブロック60のメダル受け口63に入り、メダル移送路65を通ってメダル排出口64から排出される。メダル排出口64はスロットマシン１のメダル投入口10の側方移送通路12と位置あわせされているので、遊技メダルは側方移送通路12を通って、上部投入開口11に投入される。
【００５２】
ところで、投入された遊技メダルを全て移送し終える前に搬送装置50の作動を停止させた場合には、搬送ベルト53の上面やメダル貯め部44に遊技メダルが残留したままとなる。この場合、遊技を終了するなどにより、残留している遊技メダルをスロットマシン１に投入したくない場合には、リセットスイッチを操作する。すると、図９に示すように、排出装置80のソレノイド81が作動して開閉板82を開くとともに、搬送装置50の駆動モータ55が逆転駆動する。これにより、搬送ベルト53の上面にある遊技メダルは後方に移動し、開閉板82が開くことにより、メダル貯め部44の底部に開口するリセット開口49から下方に落下する。メダル貯め部44に貯留されていた遊技メダルも、同様にリセット開口49から落下する。
【００５３】
このようにしてメダル送り装置40から排出された遊技メダルは、排出貯留箱90に貯留されるので、排出貯留箱90を貯留箱収納部37から手前側に引き抜いて、中に貯まったメダルを取り出せばよい。なお、メダル送り装置40内部に、ゴミなどの異物が混入した場合にも、上記したのと同様にして、取り出すことができるのは言うまでもない。
このように、本実施の形態によれば、メダル貸出機２から貸し出される遊技メダルをスロットマシン１に手に持って移動させなくても、あるいはスロットマシン１から入賞により払い出されたメダルを、一枚ずつ手でメダル投入口10に投入させなくても、一括投入機構３によりメダル投入口10に投入することができ、遊技を効率的に行うことができる。また、一括投入機構３は、移動調整弁43が設けてあるので、メダル送り装置40内部でのメダル詰まりを起こしにくく、メダル送り装置40から排出するときにメダル詰まりを起こした場合でも、メダル移送ブロック60を取り外すことにより容易に詰まりを解消できる。そして、排出装置80と排出貯留箱90を設けてあるので、メダル送り装置40内の残留メダルや異物なども容易に取り出すことができる。さらには、スロットマシン１のメダル投入口10の高さ位置に合わせてメダル移送ブロック60を取り替えることができるので、隣接するスロットマシンが面替えにより異なる機種のものに交換されても、メダル貸出機２自体は遊技場に固定しておくことができるのである。
【図面の簡単な説明】
【００５４】
【図１】本発明の実施の形態であって、一括投入機構の断面図である。
【図２】本発明の実施の形態であって、スロットマシン及びメダル貸出機の斜視図である。
【図３】本発明の実施の形態であって、メダル貸出機の側面図である。
【図４】本発明の実施の形態であって、メダル投入口及び一括投入機構の拡大斜視図である。
【図５】本発明の実施の形態であって、一括投入機構の分解斜視図である。
【図６】本発明の実施の形態であって、メダル送り装置の斜視図である。
【図７】本発明の実施の形態であって、一括投入機構の部分拡大断面図である。
【図８】本発明の実施の形態であって、メダル送り装置の作動説明図である。
【図９】本発明の実施の形態であって、メダル送り装置の作動説明図である。
【図１０】本発明の実施の形態であって、搬送装置及び排出装置の作動の概略を示すフローである。
【符号の説明】
【００５５】
１  スロットマシン
10  メダル投入口                11  上部投入開口
12  側方移送通路                13  前扉
14  図柄表示窓                  15  払い出しメダル皿
16  操作部
２  メダル貸出機
20  外箱                        21  紙幣投入口
22  紙幣カウンター              23  貸し出しメダル払い出し装置
３  一括投入機構
30  本体カバー                  31  一括投入開口（投入開口）
32  切り欠き部                  33  メダル落下口
34  取り付け板                  35  止めネジ
36  排出開口                    37  貯留箱収納部
38  底板
40  メダル送り装置              41  本体ブロック
42  払い出し通路                43  移動調整弁
44  メダル貯め部                45  メダル戻り部
46  メダル検知センサ（検知装置）47  メダル排出部
48  受入開口                    49  リセット開口（排出用開口）
50  搬送装置                    51  ローラ
52  逆転ローラ（分離手段）      53  搬送ベルト
54  送出間隙                    55  駆動モータ
56  伝達手段                    57  回転検知センサ
60  メダル移送ブロック          61  メダル受け部
62  メダル移送部                63  メダル受け口
64  メダル排出口                65  メダル通路
70  作動スイッチ                71  逆作動スイッチ
72  タッチセンサ                73  投入センサ
74  リセットスイッチ
80  排出機構                    81  ソレノイド
82  開閉板（開閉部材）          83  固定側軸支部
84  アーム                      85  作動側軸支部
90  排出貯留箱（受け部材）      Ｂ  仕切棒
【図１】
2006000369.tif 000003
【図２】
2006000369.tif 000004
【図３】
2006000369.tif 000005
【図４】
2006000369.tif 000006
【図５】
2006000369.tif 000007
【図６】
2006000369.tif 000008
【図７】
2006000369.tif 000009
【図８】
2006000369.tif 000010
【図９】
2006000369.tif 000011
【図１０】
2006000369.tif 000012